(57)【要約】【課題】  窓の開閉時ともに使用できるペット用の姿勢維持器具を提供する【解決手段】姿勢維持器具１を構成するカバー３の側部３ａに磁性体５１、５２を埋め込み、他方の側部３ｂには落下防止するための重りを埋め込む。また、カバー３の中央部３ｃ上には、血行促進のための突起部４を設け、この突起部４の突起具４２がツボを刺激し、その効果をもたらす。【選択図】  図２
2005313852.tif 000002
【特許請求の範囲】
【請求項１】
自動車の扉窓に使用する姿勢維持器具であって、扉窓の窓枠下辺をまたいで配置するシート状のカバーと、カバーを扉に固定するための保持手段とを有し、カバーの窓枠下辺に臨む領域には弾性部材を一体にして配置したことを特徴とする姿勢維持器具。
【請求項２】
請求項１に記載の姿勢維持器具において、カバーを扉に固定する保持手段の内、少なくとも一つはシートの扉外側に接地する領域に形成した面状の磁性体によって構成されることを特徴とする姿勢維持器具。
【請求項３】
請求項１または請求項２に記載の姿勢維持器具において、カバーを扉に固定する保持手段は、扉外側に接地するための磁性体と、扉内側に配置する加重部材によって構成され、いずれもカバーの端部にあることを特徴とする姿勢維持器具。
【請求項４】
請求項１ないし３に記載の姿勢維持器具において、弾性体を配置したカバーの面上に複数個の突起部材を配置したことを特徴とする姿勢維持器具。
【発明の詳細な説明】
【技術分野】
【０００１】  本発明は、例えば自動車の左右扉にある開閉式の窓枠又は窓ガラス上にペットが身を乗り出す際使用する姿勢維持器具に関するものである。
【背景技術】
【０００２】  ペットブーム到来の時代背景下、飼育している犬などのペットを車に乗せて、行楽や日常的な買い物に連れて行く家庭がある。ペットを車内に入れる際には、ペットに快適な同乗環境を味合わせたり、或いはペット自身の乗り物酔いを防ぐために、ペットが居座る座席近くの扉窓を開放し、ペットの顔を扉窓に近づけて外気に触れさせることがある。このとき、ペットに一定時間外気へ触れさせるようペットの姿勢を維持するためには、例えば車の扉窓にある窓ガラスを一部残した状態にして、その窓ガラスの上縁にペットの顔や前足を乗せてペットの姿勢を支える場合がある。また、別の方法としては、扉窓を全開にして、ペットを窓枠に乗せる態勢をつくる場合がある。【０００３】  ところが、一部残した窓ガラス上でペットの姿勢を維持させる場合は、体重を置いた窓ガラスとの間で相当の圧力がペットの顔や前足などにかかり、圧迫による痛みや不快感をペットに与えてしまうこととなる。そこで同伴者が自身の手や腕を添えてペットの顔などを窓ガラス上に乗せると、同伴者に圧迫感を与えることとなり、これを我慢して姿勢を維持させると、痺れや血流疎外を招き、不快感を増幅させてしまうこととなる。どちらにせよ、窓ガラスを一部残した状態では持続性が欠落していた。
一方、窓を全開にした状態でペットの身を乗り出させる場合は、体重を置く面が窓ガラスの場合に比べて広いため圧迫感を幾分緩和することとなるが、ペットの指先にある爪が窓枠や車体外側のボディー上をこすって傷をつけていた。また、ペットが身を乗り出す位置の低さから、衝撃を受けたり自身の弾みによって身を窓枠の外に飛び出すことも起こり得る。さらに、窓ガラスを収納した窓枠にある溝が露呈される状態であるため、ペットの爪先が入って痛みを与えることも生じかねない。そのような危険を伴うことから、例え窓ガラスに比べて不快感などを緩和させるとしても、窓を全開にした状態でペットの身を乗り出させることは、進んでできなかった。【０００４】  このような状況の中、走行中に車両から受ける衝撃でペットに怪我を与えないようにと、窓ガラスの上縁に沿ってクッション製の棒材を嵌め込んだものが提供されている（例えば、特許文献１参照）。図３は、その従来技術である怪我防止用装着枠の概要を示した図である。怪我防止用装着枠８１は、弾力性のある樹脂などの素材でできた棒状の部材であり、中央には窓ガラス８３を跨ぐための溝８２が形成されている。そして、その溝８２を車体の窓に嵌めて窓の外縁一部に装着し、固定する。この怪我防止用装着枠８１にペットの顎等を乗せた状態で走行すると、車両がバウンドしてもペットへの怪我を防止できる。【０００５】
【特許文献１】      登録実用新案第３０９１４８１号公報
【発明の開示】
【発明が解決しようとする課題】
【０００６】  しかし、上記の構成では窓を残した状態でしか使用できず、窓を全開にした状態では使用できないという制限が課せられていた。また、この装着粋はあくまでペットに与える衝撃を和らげるためだけのものであり、身を乗り出したペットが長時間態勢を維持できるように作られたものではなかった。すなわち、長時間同じ姿勢を続ける上で起こる血流疎外などを解消できるものではなかった。【０００７】  そこで本願発明は、これらの課題を解決し、ペットを同乗させて快適なドライブを楽しめるための器具を提供するものである。
【課題を解決するための手段】
【０００８】  上記の目的を達成するための、請求項１に記載した本願発明は、自動車の扉窓に使用する姿勢維持器具であって、扉窓の窓枠下辺をまたいで配置するシート状のカバーと、カバーを扉に固定するための保持手段とを有し、カバーの窓枠下辺に臨む領域には弾性部材を一体にして配置したことを特徴とする。
また、請求項２に記載した発明は、上述した請求項１に記載の姿勢維持器具において、カバーを扉に固定する保持手段の内、少なくとも一つはシートの扉外側に接地する領域に形成した面状の磁性体によって構成されることを特徴とする。とりわけ、請求項３に記載したように、カバーを扉に固定する保持手段は、扉外側に接地するための磁性体と、扉内側に配置する加重部材によって構成され、いずれもカバーの端部にあることが望ましい。さらに、請求項４に記載した発明は、上述した請求項１ないし．３に記載の姿勢維持器具において、弾性体を配置したカバーの面上に複数個の突起部材を配置したことを特徴とする。
【発明の効果】
【０００９】  請求項１に記載した構成では、窓ガラスを残した状態だけでなく、窓ガラスをすべて収納して窓を全開とした状態でもペットの姿勢を維持させることが可能となる。すなわち、保持手段によってカバーが扉に固定されている限りは窓枠にカバーが配置された状態を保持し、ペットが身を乗り出して窓枠に前足をつけても、ペットと窓枠との間に生じる圧迫を弾性部材が吸収することで、ペットへの圧迫感を和らげることができる。さらに、窓枠の両側に有する扉の面にもカバーが覆われることで、ペットが窓枠へ身を乗り出す際に扉へつける傷も防ぐことができる。【００１０】  また、請求項２に記載の構成にすると、磁性体のはたらきによって特別な工具などを用いずに姿勢維持器具と扉とが保持される。さらに、脱着も自在で寿命も長く、脱着によって扉などに傷をつけることもないため、安心して使用できる。とりわけ、請求項３に記載したように、保持手段として加重部材を設けることによって、カバーが車外へ落下することを防げる。しかも、いずれの保持手段も端部にあることで、窓ガラスを一部残してカバーの位置が上昇したとしても、磁性体が扉外側に接地する限りは保持状態に影響がない。そのため、窓ガラスを全て収納した状態だけでなく、一部残した状態でも使用できる。【００１１】  また、請求項４に記載した構成にすると、突起部材がペットの前足に刺激を与えることとなり、血行を促進させて長時間の姿勢維持にも耐えることができる。しかも、突起部材が加重を置くペットの前足などを滑らせることが防止できる。
【発明を実施するための最良の形態】
【００１２】  以下では、本願発明の一実施形態である姿勢維持器具を、添付図面の下で詳細に説明する。図１は、かかる姿勢維持器具の概略構成を示す斜視図である。図２は、姿勢維持器具を装着した状態を示す図であり、（ａ）は扉窓の窓ガラスを全て収納して窓を全開にした状態を、（ｂ）は扉窓の窓ガラスを一部残した状態を示す。【００１３】  姿勢維持器具１は、長尺平面状の布材でできたカバー３でほぼ全体を構成するものであり、その中央部３ｃ上には、複数個の突起具４２、・・・をマトリクス状に並べた突起部４が配置されている。カバー３は、中央部３ｃの両側に側部３ａ、３ｂを有して一体としたものであり、各側部には動物などの絵柄をかたどっている。カバー３の裏面は、滑り難い構造・素材を採用した方が望ましい。なお、カバー３を構成する中央部３ｃ、側部３ａ、３ｂは、図中では１枚の布材から形成しているが別個にしたものを繋ぎ合わせて一体としてもよい。姿勢維持器具１は、自動車扉２上にある窓部２１を囲む窓枠２２ａ、２２ｂ、２２ｃ、２２ｄの内、下辺に相当する窓枠２２ｃ上をまたいで扉２の外側（車外側）２ａと内側（車室側）２ｂの各上部にカバー３の側部３ａ、３ｂを被せるようにして配置し、使用する。このとき、カバー３の中央部３ｃを窓枠２２ｃに臨んだ状態で配置すると、図示するように突起部４が窓枠２２ｃの垂直線上に配置した状態をつくることができる。【００１４】  突起部４は、長板形状のベース４１に複数個の突起具４２を並べて一体にしたものであり、各要素を個別に製作して一体に組み合わせる他、製作時から一体に形成させてもよい。ベース４１は、ゴム材または合成樹脂材などの柔軟性を持った材質で、カバー３の横長Ｘよりやや短めの長さでカバー中央部３ｃと同程度或いは短小の幅をもった薄板状に製作される。とりわけ、布材と同等に湾曲できるほどの柔軟性をもった素材で形成すれば、姿勢維持器具１の装着にあたって窓枠２２ｃ上に配置する際、ほぼ円弧状を呈する窓枠２２ｃの幅ラインに沿って湾曲し、窓枠２２ｃに密接した状態をつくることができるので望ましい。一方、突起具４２は、プラスチックなどの硬直性をもった合成樹脂やゴム材、または低反発性をもつ素材で半球状またはほぼ釣鐘状に形成した方が望ましい。この突起具４２上にペットの前足や顔をのせて体重を置くことで、突起具４２の突起がツボを刺激し、体重を置いた器官の血行を促進させるはたらきがあるからである。また、体重を置いたペットが窓枠２２ｃ上で滑らないよう、突起具４２が支えとなって防止する効果ももたらす。突起具４２は、所定距離を空けて複数個並んでいるが、この個数や大きさ、形状については体重を置くペットの大きさや体重などによって種々の仕様を提供でき、図示したものに限られることはない。【００１５】  ５１、５２は、平板状の磁性体である。磁性体５１、５２は、カバー３の側部３ａにおける端側の中に埋め込んで構成される。姿勢維持器具１のカバー３を窓枠２２ｃ上に掛けると、磁性体５１、５２の重みによってカバー側部３ａが垂下するとともに、磁力のはたらきによってカバー側部３ａが扉外側２ａに吸着し、カバー３を固定する。そして、磁性体がカバー３の内部に収容されても、磁力は衰えるこ���なくはたらくので、磁性体が扉にこすれて傷をつけることもない。なお、磁性体５１、５２は、図示したように複数個としたことや配置場所には限定されないが、カバーの端部に配置した方が望ましい。【００１６】  ６は、姿勢維持器具１が車外へ落下しないために設けられた重りである。重り６は、カバー３の側部３ｂにおける端側の中に埋め込んで構成される。姿勢維持器具１のカバー３を窓枠２２ｃ上に掛けると、重りのはたらきによってカバー側部３ｂが垂下し、カバーがまくれ上がって車外へ落下するのを防ぐ。重りは、図示するようにカバー３の中へ埋め込む他にも、カバー側部３ｃの端から釣り下ろして構成してもよい。
７は弾性体であり、ほぼ蒲鉾状の形状で、カバー中央部３ｃの中に埋め込んで構成される。弾性体７を設けることで、体重を置くペットへ窓枠２２ｃからの圧迫を緩和することができる。【００１７】  図２では、窓ガラス２３を全て収納した状態と一部残した状態とにおける姿勢維持器具の装着状態を示したものである。窓ガラス２３を全て収納した状態（ａ）では、窓枠２２ｃ上は凹凸なくフラットになっており、図示するように扉２と窓枠２２ｃとの外形に沿ってカバー３が掛かった状態をつくることができる、つまり、カバー中央部３ｃの両側に位置する側部３ａ、３ｂが、中央部３ｃから直角状に垂下する。そして、磁性体５１、５２が扉外側２ａに吸着し、扉内側２ｂには重り６があることで、仮に走行中においても姿勢維持器具１を装着した状態が保持される。【００１８】  一方、窓ガラス２３を一部残すと、（ｂ）で示すように窓枠２２ｃ上に窓ガラス２３の上縁が突出した状態となって、窓枠２２ｃ上に凹凸が生じる。そのため、カバー中央部３ｃやその上方に配置する突起部４のベース４１がたわみ、カバー３は窓ガラス２３上に掛かった状態となって、位置も上述の状態（ａ）に比べて上昇する。しかし、カバー３に埋め込んだ磁性体５１、５２が扉外側２ａに面する状態である限り、カバー３と扉２との固定状態は維持され、窓ガラス２３の昇降に影響されない。こうして、窓ガラスを一部残した状態だけでなく、窓を全て開放した状態でも使用することができる。【００１９】  以上のように、本願発明における実施例を説明したが、本願発明を構成するものは、この実施例に限定するものではない。例えば、保持手段としては扉の形状や窓枠の構造などを利用してこれらに係合する手段を採用してもよい。また、その他の構成要素においても、本願発明の趣旨を超えない範囲で用途に応じ種々の設計変更が可能である。
【図面の簡単な説明】
【００２０】
【図１】  姿勢維持器具の全体を示した斜視図である。
【図２】  姿勢維持器具の装着状態を示した断面図であり、（ａ）は窓ガラスを全て収納した場合を、（ｂ）は窓ガラスを一部残した場合を示す。
【図３】  従来技術を示した断面図である。
【符号の説明】
【００２１】  １                              姿勢維持器具
２                              扉
２２ａ、２２ｂ、２２ｃ、２２ｄ  窓枠
３                              カバー
４                              突起部
４２                            突起具
５１、５２                      磁性体
６                              重り
７                              弾性材
【図１】
2005313852.tif 000003
【図２】
2005313852.tif 000004
【図３】
2005313852.tif 000005